(57)【要約】【課題】取付用ボスを有する樹脂部品を内装トリム本体の適正位置に取り付ける際の取付作業性を高め、かつ確実な合わせ精度を確保する。【解決手段】スイッチパネル５０はドアトリム本体２０に取り付けるための取付用ボス５４、補強リブ５５を有する取付座プレート５３が設けられており、スイッチパネル５０をドアトリム本体２０の表面に沿ってスライド操作して、取付用ボス５４をドアトリム本体２０の取付孔３３に合わせる際、ドアトリム本体２０のスライド経路上の取付面にスロープ付突起３４が形成されており、スイッチパネル５０のスライド操作時、取付用ボス５４、あるいは補強リブ５５をスロープ付突起３４のスロープ面３５に沿って滑らせることで取付用ボス５４と取付孔３３の縁部との引っ掛かりを防止し、更に取付用ボス５４をスロープ付突起３４のストッパー面３６に突き当てることで精度の良い合わせを迅速に達成する。【選択図】図２
2009161069.tif 000002
【特許請求の範囲】
【請求項１】
内装トリム本体（２０）に樹脂部品（５０）を取り付ける樹脂部品（５０）の取付構造であって、上記樹脂部品（５０）の裏面側に取付用ボス（５４）が内装トリム本体（２０）側に向けて突設形成され、樹脂部品（５０）を内装トリム本体（２０）の取付面上に沿って、所定方向にスライド操作して、取付用ボス（５４）を内装トリム本体（２０）の取付孔（３３）に合致させてビス止め固定してなる樹脂部品（５０）の取付構造において、
前記内装トリム本体（２０）における樹脂部品（５０）のスライド経路面であって、取付孔（３３）の手前位置にスロープ付突起（３４）が突設形成されており、上記樹脂部品（５０）を所定方向にスライド操作して取り付ける際、スロープ付突起（３４）のスロープ面（３５）に取付用ボス先端（５４ａ）、あるいは補強リブ先端（５５ａ）をガイドさせることにより、取付孔（３３）の縁部に対する取付用ボス先端（５４ａ）、あるいは補強リブ先端（５５ａ）の引っ掛かりを回避するようにしたことを特徴とする樹脂部品の取付構造。
【請求項２】
前記内装トリム本体（２０）に対して樹脂部品（５０）を位置決めする際、樹脂部品（５０）の取付用ボス（５４）をスロープ付突起（３４）のストッパー面（３６）に突き当てることで、樹脂部品（５０）を正規位置に位置決めするようにしたことを特徴とする請求項１に記載の樹脂部品の取付構造。
【発明の詳細な説明】
【技術分野】
【０００１】
この発明は、内装トリム本体に各種樹脂部品を取り付ける樹脂部品の取付構造に係り、特に、組み付けが簡単に行なえ、しかも、精度の良い位置決めが可能となる樹脂部品の取付構造に関する。
【背景技術】
【０００２】
通常、乗用車のドアパネルの室内面側には、ドアトリムが装着されており、室内美観の向上を図るとともに、乗員に対する安全保護に貢献している。図９は従来のドアトリム１を室内側から見た外観図であり、図示しないドアパネルにこれも図示しないクリップ等の取付手段を介して取り付けられるベースとなるドアトリム本体２に対して各種機能部品が装着されている。例えば、ドアトリム本体２の中接部分には、インサイドハンドルユニット３が組み込まれているとともに、ドアトリム本体２の表面略中央部に乗員が肘を掛けて休めるアームレスト４、その近傍部分にスイッチパネル５等の樹脂部品が装着され、ドアトリム本体２の下側には、ドアポケット６及びスピーカグリル７がドアトリム本体２と一体あるいは別体に設けられている。
【０００３】
ここで、ドアトリム本体２の中央に取り付けられるスイッチパネル５は、表面にスイッチ操作用ボタン５ａ等が複数個設けられており、ドアトリム本体２に対する取付手段として、図１０に示すように、取付座プレート５ｂがスイッチパネル５の裏面から下方に延びるように突設され、この取付座プレート５ｂからドアトリム本体２側に向けて開口するように取付用ボス５ｃが一体化され、この取付用ボス５ｃを補強する補強リブ５ｄが設けられている。そして、この取付用ボス５ｃをドアトリム本体２の取付孔２ａに合致させてビス８を締め付け固定することにより、スイッチパネル５をドアトリム本体２に取り付けている。例えば、ドアトリム本体２に対して各種樹脂部品を取り付ける従来例としては特許文献１に記載されている。
【０００４】
【特許文献１】実開平２−１２１４１５号公報
【発明の開示】
【発明が解決しようとする課題】
【０００５】
このように、従来のドアトリム１のように、スイッチパネル５をドアトリム本体２に取り付ける構造に代表されるようにドアトリム本体２に対してスイッチパネル（樹脂部品）５を取り付ける構造としては、スイッチパネル（樹脂部品）５の裏面に取付用ボス５ｃを立設して、取付用ボス５ｃとドアトリム本体２の取付孔２ａとを合致させてドアトリム本体２の裏面側からビス止め固定するのが一般的である。
【０００６】
例えば、ドアトリム本体２の表面側に対してスイッチパネル５を取り付ける際、図１１中矢印方向、すなわち下方向にスライド操作して、所定位置にスイッチパネル５を位置決めし、ビス８の締め付け作業を行なうが、図１２に示すように、スイッチパネル５における取付用ボス５ｃの下方に位置する補強リブ５ｄのコーナー部がドアトリム本体２の取付孔２ａの縁部に引っ掛かり、下方向に継続して押圧した場合、取付座プレート５ｂが撓み、極端な場合は、図１３に示すように、取付座プレート５ｂに白化、折れが発生し、スイッチパネル５の破損を招くという欠点があった。
【０００７】
この発明は、このような事情に鑑みてなされたもので、ドアトリム本体に対するスイッチパネルの取付構造に代表されるように、内装トリム本体の表面所定位置への樹脂部品取付時、樹脂部品の取付用ボスが内装トリム本体の取付孔に合致するように樹脂部品を内装トリム本体の取付面に沿ってスライド操作する際、取付用ボスや取付用ボス近傍の補強リブ等の突起部分が内装トリム本体の取付孔の縁部に引っ掛かることがなく、円滑に組み付けることができるとともに、取付用ボスと取付孔との精度の良い合わせを簡単に達成することができる樹脂部品の取付構造を提供することを目的とする。
【課題を解決するための手段】
【０００８】
上記課題を解決するために、本発明は、内装トリム本体に樹脂部品を取り付ける樹脂部品の取付構造であって、上記樹脂部品の裏面側に取付用ボスが内装トリム本体側に向けて突設形成され、樹脂部品を内装トリム本体の取付面上に沿って、所定方向にスライド操作して、取付用ボスを内装トリム本体の取付孔に合致させてビス止め固定してなる樹脂部品の取付構造において、前記内装トリム本体における樹脂部品のスライド経路面であって、取付孔の手前位置にスロープ付突起が突設形成されており、上記樹脂部品を所定方向にスライド操作して取り付ける際、スロープ付突起のスロープ面に取付用ボス先端、あるいは補強リブ先端をガイドさせることにより、取付孔の縁部に対する取付用ボス先端、あるいは補強リブ先端の引っ掛かりを回避するようにしたことを特徴とする。
【０００９】
ここで、自動車用内装部品は、内装トリム本体の表面所定位置に各種樹脂部品を取り付けて構成されていることから、ドアトリム、リヤサイドトリム、ラゲージサイドトリム等が考えられる。また、内装トリム本体に装着する樹脂部品としては、例えば、ドアトリム本体に取り付けられるスイッチパネル、プルハンドル等が考えられる。
【００１０】
次いで、内装トリム本体の構成としては、一体型の内装トリム本体を採用することもできるが、成形金型のコンパクト化及び外観見栄えを高めるために、上下二分割体や上下三分割体等の分割体同士を接合固定してなる分割タイプの構成を採用することができる。一体型及び分割型の構成のいずれの場合においても、使用する材料としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択して良い。尚、熱可塑性樹脂をモールドプレス成形、コールドプレス成形、射出成形等の工法により所望の曲面形状に成形してなる単体の樹脂成形品を採用することもでき、これら樹脂成形品を芯材としてその表面に表皮を積層一体化してなる積層構造体を採用することもできる。
【００１１】
次いで、スイッチパネル、プルハンドル等の樹脂部品をドアトリム本体等の内装トリム本体に取り付ける取付構造としては、樹脂部品の裏面奥側に下方に向けて延びる取付座プレートが形成されており、この取付座プレートのパネル側側面に取付用ボスが形成され、この取付用ボスを内装トリム本体の取付孔に一致させて内装トリム本体の裏面側からビスを締め付け固定することにより、内装トリム本体に対して樹脂部品が取り付けられている。更に、取付用ボスの剛性を強化するために、取付用ボスの外周に補強リブが設けられている。
【００１２】
また、これら樹脂部品は、通常は上下方向に沿って内装トリム本体の取付面をスライド操作して取付用ボスと取付孔とが一致するように位置決めして、ビス止め固定されるが、本発明における構成上の特徴は、樹脂部品のスライド経路の途中にスロープ付突起が内装トリム本体の表面側に形成されていることである。
【００１３】
従って、樹脂部品の取付要領としては、内装トリム本体の表面に対して樹脂部品をスライド操作していき、樹脂部品の取付用ボスを内装トリム本体の取付孔に合致させる際、内装トリム本体の取付面におけるスライド経路面には、スロープ付突起が形成されているため、樹脂部品の取付用ボスや補強リブのコーナー部等がスロープ付突起のスロープ面にガイドされる。従って、取付用ボス、あるいは取付用ボス近傍の補強リブのコーナー部と取付孔縁部とが干渉して、取付座プレートに無理な撓み応力がかかって、取付座プレートが破損するという不具合がなく、スロープ付突起のスロープ面に沿って取付用ボスを滑らせることで円滑な樹脂部品の取付作業を実施することができる。
【００１４】
次いで、本発明に係る樹脂部品の取付構造の好ましい実施の形態においては、前記内装トリム本体に対して樹脂部品を位置決めする際、樹脂部品の取付用ボスをスロープ付突起のストッパー面に突き当てることで、樹脂部品を正規位置に位置決めするようにしたことを特徴とする。
【００１５】
従って、この実施の形態によれば、樹脂部品の取付用ボスの先端を内装トリム本体の取付面のスライド経路面に設けられたスロープ付突起のスロープ面を滑らせることで内装トリム本体の取付孔の縁部に対して樹脂部品の取付用ボスが引っ掛かることがなく乗り越えさせることができ、その後、取付用ボスが取付孔に合致するように取付用ボスがスロープ付突起のストッパー面にぶつかるまで樹脂部品を逆走させれば精度の良い合わせが期待できる。
【発明の効果】
【００１６】
以上説明した通り、本発明に係る樹脂部品の取付構造は、樹脂部品のスライド経路上の内装トリム本体の取付面にスロープ付突起が設けられており、樹脂部品を内装トリム本体の表面所定位置に取り付ける際、樹脂部品のスロープ付突起のスロープ面を滑らせてスライド操作するという構造を採用したため、取付用ボスや補強リブのコーナー部が取付孔の縁部に引っ掛かることがなく、取付用ボスを内装トリム本体の取付孔に円滑に位置決め操作でき、組付作業性を向上させることができる。更に、樹脂部品の取付用ボスを内装トリム本体のスロープ付突起のスロープ面を滑らせて、取付孔を乗り越えさせた後、取付用ボスをスロープ付突起のストッパー面に当接させることで、精度の良い合わせが期待できるという効果を有する。
【発明を実施するための最良の形態】
【００１７】
以下、本発明に係る樹脂部品の取付構造の実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００１８】
図１乃至図８は本発明に係る樹脂部品の取付構造の一実施例を示すもので、図１は本発明に係る樹脂部品の取付構造を適用したドアトリムを示す外観図、図２は同ドアトリムにおける樹脂部品であるスイッチパネルの取付構造を示す断面図、図３はスイッチパネルに対応するドアトリムの取付孔近傍を示す説明図、図４乃至図６は本発明に係る樹脂部品の取付構造の一例を示すスイッチパネルの取付要領を示す各説明図、図７，図８は本発明に係る樹脂部品の取付構造の変形例を示す各説明図である。
【００１９】
まず、本発明に係る樹脂部品の取付構造を適用する対象は、図１に示すドアトリム１０であり、このドアトリム１０は、ドアトリム本体２０に各種樹脂部品を取り付けて構成されている。ドアトリム本体２０としては、上下二分割構造が採用されており、ドアトリムアッパー３０とドアトリムロア４０の二分割体から構成されている。そして、このドアトリム本体２０に取り付けられる樹脂部品としては、ドアトリムアッパー３０側にはインサイドハンドルユニット３１とその下方に装飾機能を有する布地シート等を素材とした中接シート３２が装着されている。また、ドアトリムロア４０側には、下側にドアポケット４１が一体あるいは別体に形成され、そのフロント側にスピーカグリル４２が一体化されている。
【００２０】
更に、ドアトリムアッパー３０とドアトリムロア４０の接合部分には、スイッチパネル５０とアームレスト６０が取り付けられている。ここで、スイッチパネル５０をドアトリム本体２０に取り付ける構造に本発明を適用した。まず、ドアトリム本体２０を構成するドアトリムアッパー３０及びドアトリムロア４０の構成としては、樹脂単体品、あるいは樹脂単体品の表面に装飾性の表皮を一体貼着した積層構造体を使用することができる。樹脂単体品としては、汎用の熱可塑性樹脂、例えば、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等が使用できる。そして、これらの熱可塑性樹脂をモールドプレス成形、あるいは射出成形することにより、所要形状に成形できる。
【００２１】
次いで、スイッチパネル５０は、熱可塑性樹脂の射出成形により所要形状に成形されるが、使用できる樹脂材料としては、ドアトリム本体２０に使用した樹脂材料と同一のものを使用することができる。このスイッチパネル５０は、パネル本体５１の表面にパワーウインドウスイッチ操作用ボタンや、ロックスイッチボタン等の操作部５２を備えており、図２に示すように、パネル本体５１のドアトリム本体２０側には、下方向に延在する取付座プレート５３が下方向に延びており、この取付座プレート５３のドアトリム本体２０側面に取付用ボス５４が一体化され、取付用ボス５４の外周面に補強リブ５５が一体化されている。
【００２２】
そして、ドアトリム本体２０に対してスイッチパネル５０を正規位置に位置決めすれば、この実施例においてはドアトリムアッパー３０の取付孔３３に対してスイッチパネル５０の取付用ボス５４のボス孔が一致して、ビス７０をドアトリムアッパー３０の裏面側から締め付け固定することにより取り付けるが、本発明の特徴的な構成は、スイッチパネル５０がドアトリム本体２０の取付面上を下方向にスライド操作して位置決めされることを考慮して、図３に示すように、ドアトリム本体２０におけるドアトリムアッパー３０の取付孔３３の上部にスロープ付突起３４が突設されていることである。このスロープ付突起３４におけるスロープ面３５は３０〜４５°の傾斜面に設定されており、スロープ付突起３４の長さは２〜３ｍｍで、かつスロープ付突起３４の高さは１〜２ｍｍ程度に設定されている。
【００２３】
次に、図４乃至図６に基づいて、スイッチパネル５０をドアトリム本体２０に取り付ける作業手順を説明する。まず、図４に示すように、ドアトリム本体２０の表面にスイッチパネル５０を図４中矢印で示すようにスライド操作させる。スイッチパネル５０の組付途中は下方向へのスライド操作であり、このスライド操作時、図５に示すように、ドアトリムアッパー３０におけるスライド経路面に設けられているスロープ付突起３４のスロープ面３５に取付用ボス５４の下方に設けた補強リブ５５の先端５５ａが滑り、かつ取付座プレート５３も図５中矢印方向に撓むことにより、補強リブ５５の先端５５ａが取付孔３３の縁部に引っ掛かることがなく、取付用ボス５４が取付孔３３よりも下方に位置するまで下方向のスライド操作を続行する。その後、図６に示すように、スイッチパネル５０全体を上方向に持ち上げれば、取付用ボス５４がスロープ付突起３４のストッパー面３６に突き当たることで、取付用ボス５４と取付孔３３とを精度良く合致させることができ、精度の良い合わせが期待できる。尚、取付用ボス５４近傍部分の形状変更により、取付用ボス５４の先端５４ａをスロープ付突起３４のスロープ面３５に沿って滑らせても良い。
【００２４】
このように、ドアトリムアッパー３０表面におけるスイッチパネル５０のスライド経路面において、スロープ付突起３４が形成されているため、スイッチパネル５０取付時には、取付用ボス５４の先端５４ａ、あるいは取付用ボス５４と一体化した補強リブ５５の先端５５ａをスロープ付突起３４のスロープ面３５に沿って滑らせることで、取付孔３３の縁部との不用意な引っ掛かりを確実に防止でき、かつスイッチパネル５０を最下方位置から上方に持ち上げて、取付用ボス５４とスロープ付突起３４におけるストッパー面３６とを突き合わせれば、精度の良い合わせが簡単かつ迅速に行なえ、従来のように、取付座プレート５３が破損する不具合を解消でき、取付作業性を著しく向上させることができる。
【００２５】
次に、図７，図８は本発明の変形例を示すもので、上述実施例同様、スイッチパネル５０をドアトリム本体２０に取り付ける構造に適用したものであり、この変形例においては、ドアトリムアッパー３０に設けるスロープ付突起３４は、両側縁が下方向に延長された延長部３７が形成されている。このことにより、取付用ボス５４と一体化した十字状の補強リブ５５と延長部３７とが当接することになり、図７中矢印で示す前後方向の規制が可能となり、より確実な精度合わせ、及び組み付けが可能となる。また、この変形例では、スロープ面３５にＲ面加工を追加することで、更に組付性が改良されている。
【産業上の利用可能性】
【００２６】
以上説明した実施例は、ドアトリム本体２０に対してスイッチパネル５０を取り付ける構造に適用したが、プルハンドルをドアトリム本体に取り付ける構造に適用することもできる。更に、実施例では、スイッチパネル５０をドアトリム本体２０の取付位置に対して下方向にスライド操作して、位置決め及び組み付けを完了したが、相手部品の形状は、造形的に見て左右方向にスライド操作する形態でも良く、スライド方向は上下方向に限定されるものではない。
【図面の簡単な説明】
【００２７】
【図１】本発明に係る樹脂部品の取付構造を適用したドアトリムを示す斜視図である。
【図２】図１中II−II線断面図である。
【図３】図１に示すドアトリムにおけるスイッチパネルを取り付けるドアトリム本体の取付部の形状を示す説明図である。
【図４】図１に示すドアトリムにおけるスイッチパネルの組付初期時の状態を示す説明図である。
【図５】図１に示すドアトリムにおけるスイッチパネルの組付途中の状態を示す説明図である。
【図６】図１に示すドアトリムにおけるスイッチパネルの取付作業における位置決め完了時の状態を示す説明図である。
【図７】本発明に係る樹脂部品の取付構造をスイッチパネルの取付構造に適用した変形例を示すもので、スイッチパネルに対するドアトリム本体の取付孔及びスロープ付突起を示す説明図である。
【図８】本発明に係る樹脂部品の取付構造の変形例の構成を示す断面図である。
【図９】従来のドアトリムを示す斜視図である。
【図１０】図９中X −X 線断面図である。
【図１１】従来のドアトリムにおけるスイッチパネルの取付作業要領を示す説明図である。
【図１２】従来のドアトリムにおけるスイッチパネルの取付作業の不具合点を示す説明図である。
【図１３】従来のドアトリムにおけるスイッチパネルの取付作業の不具合点を示す説明図である。
【符号の説明】
【００２８】
１０  ドアトリム
２０  ドアトリム本体（内装トリム本体）
３０  ドアトリムアッパー
３１  インサイドハンドルユニット
３２  中接シート
３３  取付孔
３４  スロープ付突起
３５  スロープ面
３６  ストッパー面
３７  延長部
４０  ドアトリムロア
４１  ドアポケット
４２  スピーカグリル
５０  スイッチパネル（樹脂部品）
５１  パネル本体
５２  操作部
５３  取付座プレート
５４  取付用ボス
５５  補強リブ
６０  アームレスト
７０  取付用ビス
【図１】
2009161069.tif 000003
【図２】
2009161069.tif 000004
【図３】
2009161069.tif 000005
【図４】
2009161069.tif 000006
【図５】
2009161069.tif 000007
【図６】
2009161069.tif 000008
【図７】
2009161069.tif 000009
【図８】
2009161069.tif 000010
【図９】
2009161069.tif 000011
【図１０】
2009161069.tif 000012
【図１１】
2009161069.tif 000013
【図１２】
2009161069.tif 000014
【図１３】
2009161069.tif 000015